(57)【要約】      （修正有）【課題】複数の周波数帯のそれぞれで使用する帯域を選択することで無線通信における通信効率を向上させる通信装置・通信方法を提供する。【解決手段】複数の周波数帯のそれぞれで使用する帯域を選択する使用帯域選択部１０５と、選択された帯域を利用して他の通信装置と通信を行う通信部１０１と、を備える通信装置１０ａであって、使用帯域選択部は、前記複数の周波数帯のそれぞれにおいて通信可能な最大の帯域を選択する。【選択図】図１
2014241480.tif 000002
【特許請求の範囲】
【請求項１】
複数の周波数帯のそれぞれで使用する帯域を選択する使用帯域選択部と、
選択された帯域を利用して他の通信装置と通信を行う通信部と、
を備える通信装置。
【請求項２】
前記使用帯域選択部は、前記複数の周波数帯のそれぞれにおいて通信可能な最大の帯域を選択する、請求項１に記載の通信装置。
【請求項３】
前記複数の周波数帯のそれぞれで送信される送信信号を生成する送信信号生成部をさらに備え、
前記送信信号生成部は、前記送信信号を生成する際に、前記周波数帯ごとに選択された帯域分の送信データと、前記送信データの順番を表す送信番号とを前記送信信号に付与する、請求項１又は２に記載の通信装置。
【請求項４】
複数の周波数帯のそれぞれで使用する帯域を選択する使用帯域選択ステップと、
選択された帯域を利用して他の通信装置と通信を行う通信ステップと、
を有する通信方法。
【請求項５】
複数の周波数帯のそれぞれで使用する帯域を選択する使用帯域選択ステップと、
選択された帯域を利用して他の通信装置と通信を行う通信ステップと、
をコンピュータに実行させるためのコンピュータプログラム。
【発明の詳細な説明】
【技術分野】
【０００１】
本発明は、通信効率を向上させる技術に関する。
【背景技術】
【０００２】
従来、５ＧＨｚ帯を用いる無線ＬＡＮ（Local Area Network）の標準規格として、ＩＥＥＥ８０２．１１ａやＩＥＥＥ８０２．１１ｎが利用されている。ＩＥＥＥ８０２．１１ａでは、１チャネルあたり２０ＭＨｚの周波数帯域を利用して、無線通信が行われる。また、ＩＥＥＥ８０２．１１ｎでは、隣り合う２つのチャネルを同時に使用して通信を行う技術としてチャネルボンディングが提案されている。これにより、無線ＬＡＮアクセスポイント（以下、「ＡＰ」という。）はチャネル２つ分（４０ＭＨｚ）の周波数帯域を使用できるため、通信の高速化が実現される。
【０００３】
近年では、ＩＥＥＥ８０２．１１ｎの次世代通信規格として、理論上１Ｇｂｐｓ以上の伝送が可能なＩＥＥＥ８０２．１１ａｃが提案されている（例えば、特許文献１参照）。ＩＥＥＥ８０２．１１ａｃでは、ＡＰはチャネルボンディングによりチャネル８つ分（最大１６０ＭＨｚ）の周波数帯域を使用できるため、ＩＥＥＥ８０２．１１ｎよりさらに通信の高速化が実現される。
【先行技術文献】
【特許文献】
【０００４】
【特許文献１】特開２０１２−７００９０号公報
【発明の概要】
【発明が解決しようとする課題】
【０００５】
しかしながら、ＡＰがチャネルボンディングにより１６０ＭＨｚの周波数帯域を使用して通信を行っている場合に、ＡＰが使用している周波数帯域の各チャネルを他のＡＰに利用されると、ＡＰと他のＡＰとの間で通信機会が重なってしまうおそれがある。通信機会が重なってしまうと、ＡＰと他のＡＰとの間でデータの衝突が発生してしまう。そこで、ＡＰは他のＡＰとの間でデータの衝突を回避するためにＣＳＭＡ／ＣＡ（Carrier Sense Multiple Access with Collision Avoidance）を行う。具体的には、ＡＰは、他のＡＰが通信を行っているか否かを検知し、他のＡＰが通信を行っている場合にはデータの送信を行わず、他のＡＰが通信を行っていない場合にはデータを送信する。これにより、ＡＰと他のＡＰとの間でデータの衝突を回避することができる。しかし、ＡＰが１６０ＭＨｚの周波数帯域全てを利用した通信を行なうことができなくなってしまう場合がある。すなわち、ＡＰは６０ＭＨｚや４０ＭＨｚの周波数帯域を利用した通信しかできない場合がある。さらに、最悪の場合、通信すらできない場合もある。このような問題が発生すると、ＡＰはチャネルボンディングにより使用している周波数帯域を効率的に利用することができない。そのため、ＡＰの無線通信における通信効率が低下してしまうという問題があった。
【０００６】
上記事情に鑑み、本発明は、無線通信における通信効率を向上させる技術の提供を目的としている。
【課題を解決するための手段】
【０００７】
本発明の一態様は、複数の周波数帯のそれぞれで使用する帯域を選択する使用帯域選択部と、選択された帯域を利用して他の通信装置と通信を行う通信部と、を備える通信装置である。
【０００８】
本発明の一態様は、上記の通信装置であって、使用帯域選択部は、前記複数の周波数帯のそれぞれにおいて通信可能な最大の帯域を選択する。
【０００９】
本発明の一態様は、上記の通信装置であって、複数の周波数帯のそれぞれで送信される送信信号を生成する送信信号生成部をさらに備え、前記送信信号生成部は、前記送信信号を生成する際に、前記周波数帯ごとに選択された帯域分の送信データと、前記送信データの順番を表す送信番号とを前記送信信号に付与する。
【００１０】
本発明の一態様は、複数の周波数帯のそれぞれで使用する帯域を選択する使用帯域選択ステップと、選択された帯域を利用して他の通信装置と通信を行う通信ステップと、を有する通信方法である。
【００１１】
本発明の一態様は、複数の周波数帯のそれぞれで使用する帯域を選択する使用帯域選択ステップと、選択された帯域を利用して他の通信装置と通信を行う通信ステップと、をコンピュータに実行させるためのコンピュータプログラムである。
【発明の効果】
【００１２】
本発明により、無線通信における通信効率を向上させることが可能となる。
【図面の簡単な説明】
【００１３】
【図１】本発明の第１実施形態における無線通信システムのシステム構成を示すブロック図である。
【図２】帯域情報データベースの構成図である。
【図３】本発明における送信信号の具体例を示す図である。
【図４】本発明の第１実施形態における使用帯域選択処理の流れを示すフローチャートである。
【図５】本発明の第１実施形態における使用帯域選択処理の流れを示すフローチャートである。
【図６】本発明の第１実施形態における無線通信ステムの処理の流れを示すフローチャートである。
【図７】本発明の第１実施形態における無線通信システムの動作を示すシーケンス図である。
【図８】本発明の第２実施形態における無線通信システムのシステム構成を示すブロック図である。
【図９】本発明の第２実施形態における無線通信システムの動作を示すシーケンス図である。
【発明を実施するための形態】
【００１４】
以下、本発明の具体的な構成例（第１実施形態及び第２実施形態）について、図面を参照しながら説明する。
［第１実施形態］
図１は、本発明の第１実施形態における無線通信システムのシステム構成を示すブロック図である。第１実施形態における無線通信システムは、ＡＰ１０ａ及び通信端末２０ａを備える。なお、図１では、無線通信システムが１台のＡＰ１０ａを備える構成を示しているが、無線通信システムは２台以上のＡＰ１０ａを備えるように構成されてもよい。また、図１では、無線通信システムが１台の通信端末２０ａを備える構成を示しているが、無線通信システムは２台以上の通信端末２０ａを備えるように構成されてもよい。
【００１５】
ＡＰ１０ａは、無線ＬＡＮ（Local Area Network）のアクセスポイントであり、自装置（ＡＰ１０ａ）に帰属する通信端末２０ａとの間で通信を行う。ＡＰ１０ａは、チャネルボンディングにより同時に複数のチャネルを利用して通信可能である。また、ＡＰ１０ａは、同時に複数の周波数帯の周波数帯域（以下、「周波数帯域」を単に「帯域」と称する。）を利用して通信可能である。例えば、ＡＰ１０ａは、同時に２．４ＧＨｚ帯の帯域と５ＧＨｚ帯の帯域とを利用して通信端末２０ａとの間で通信を行う。
【００１６】
通信端末２０ａは、例えばスマートフォン、携帯電話機、ＰＤＡ（Personal Digital Assistant）、ゲーム装置、タブレット装置、パーソナルコンピュータ等の情報処理装置を用いて構成される。通信端末２０ａは、チャネルボンディングにより同時に複数のチャネルを利用して通信可能である。また、通信端末２０ａは、同時に複数の周波数帯の帯域を利用して通信可能である。例えば、通信端末２０ａは、同時に２．４ＧＨｚ帯の帯域と５ＧＨｚ帯の帯域とを利用してＡＰ１０ａとの間で通信を行う。
【００１７】
以下、ＡＰ１０ａ及び通信端末２０ａの具体的な構成について説明する。まず、ＡＰ１０ａの機能構成を説明する。ＡＰ１０ａは、バスで接続されたＣＰＵ（Central Processing Unit）やメモリや補助記憶装置などを備え、無線通信プログラムを実行する。無線通信プログラムの実行によって、ＡＰ１０ａは、通信部１０１、チャネルスキャン部１０２、判定部１０３、帯域情報記憶部１０４、使用帯域選択部１０５、送信信号生成部１０６、送信信号合成部１０７を備える装置として機能する。なお、ＡＰ１０ａの各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。また、無線通信プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、無線通信プログラムは、電気通信回線を介して送受信されてもよい。
【００１８】
通信部１０１は、通信端末２０ａとの間で通信を行う。通信部１０１は、例えば同時に複数の周波数帯の帯域を利用して通信端末２０ａとの間で通信を行う。より具体的には、通信部１０１は、同時に２．４ＧＨｚ帯の帯域と５ＧＨｚ帯の帯域とを利用して通信端末２０ａとの間で通信を行う。
チャネルスキャン部１０２は、定期的に全てのチャネルに対し、他の通信装置（例えば、他のＡＰ又は通信端末２０ａ）が通信を行っているか否かを検知するキャリアセンスを行う。例えば、他の通信装置が通信を行っている場合には、チャネルスキャン部１０２はビーコンやパケットを受信することにより他の通信装置を検知する。また、チャネルスキャン部１０２は、ビーコンやパケットが受信されると、受信されたビーコンやパケットのＲＳＳＩ（Received Signal Strength Indication）を取得する。
【００１９】
判定部１０３は、取得されたＲＳＳＩの値に基づいて、利用可能な帯域が存在するか否かを判定する。具体的には、ＲＳＳＩの値が閾値以上である場合、判定部１０３はＲＳＳＩの値が閾値以上である帯域を利用可能な帯域ではないと判定する。一方、ＲＳＳＩの値が閾値未満である場合、判定部１０３はＲＳＳＩの値が閾値未満である帯域が利用可能な帯域であると判定する。
【００２０】
利用可能な帯域とは、他の通信装置が通信を行っている場合であっても、自装置の通信に影響を及ぼさない帯域を表す。つまり、ＲＳＳＩの値が閾値以上である帯域が存在する場合には、自装置と当該帯域を利用している他の通信装置とが比較的近い距離に位置している。そのため、自装置の通信に影響を及ぼしてしまうおそれが高い。その結果、自装置が通信を行うことが出来なくなってしまう。一方、ＲＳＳＩの値が閾値未満である帯域が存在する場合には、自装置と当該帯域を利用している他の通信装置とが比較的遠い距離に位置している。そのため、自装置の通信に影響を及ぼしてしまうおそれが低い。その結果、自装置は通信を行うことが可能である。
【００２１】
帯域情報記憶部１０４は、磁気ハードディスク装置や半導体記憶装置などの記憶装置を用いて構成される。帯域情報記憶部１０４は、帯域情報データベースを記憶している。以下、図２を用いて帯域情報データベースについて説明する。図２は、帯域情報データベースの構成図である。帯域情報データベースは、通信に使用される複数の周波数帯の帯域に関する情報を表すレコード３０を複数有する。レコード３０は、通信パターン番号、合計通信帯域、５ＧＨｚ帯通信帯域、２．４ＧＨｚ帯通信帯域の各値を有する。通信パターン番号の値は、レコード３０によって表される通信に使用される複数の周波数帯の帯域の組み合わせパターンを識別するための番号を表す。合計通信帯域の値は、レコード３０によって表される通信に使用される複数の周波数帯の帯域の合計値である。図２の具体例では、合計通信帯域の単位として“ＭＨｚ”が設定されている。５ＧＨｚ帯通信帯域の値は、レコード３０によって表される通信に使用される複数の周波数帯の帯域のうち５ＧＨｚ帯で使用される帯域を表す。図２の具体例では、５ＧＨｚ帯通信帯域の単位として“ＭＨｚ”が設定されている。２．４ＧＨｚ帯通信帯域の値は、レコード３０によって表される通信に使用される複数の周波数帯の帯域のうち２．４ＧＨｚ帯で使用される帯域を表す。図２の具体例では、２．４ＧＨｚ帯通信帯域の単位として“ＭＨｚ”が設定されている。
【００２２】
図２に示される例では、帯域情報データベースには１４個の通信パターン番号が存在する。これら１４個の通信パターン番号は、“１”、“２”、“・・・”、“１４”である。図２において、帯域情報データベースの最上段の行は、通信パターン番号の値が“１”、合計通信帯域の値が“２００”、５ＧＨｚ帯通信帯域の値が“１６０”、２．４ＧＨｚ帯通信帯域の値が“４０”である。すなわち、通信パターン番号“１”で識別される通信に使用される複数の周波数帯の帯域の組み合わせパターンは、通信に使用される複数の周波数帯の帯域の合計値が“２００ＭＨｚ”であり、５ＧＨｚ帯で使用される帯域が“１６０ＭＨｚ”であり、２．４ＧＨｚ帯で使用される帯域が“４０ＭＨｚ”であることが表されている。
【００２３】
また、図２において、帯域情報データベースの３段目の行は、通信パターン番号の値が“３”、合計通信帯域の値が“１６０”、５ＧＨｚ帯通信帯域の値が“１６０”、２．４ＧＨｚ帯通信帯域の値が“０”である。すなわち、通信パターン番号“３”で識別される通信に使用される複数の周波数帯の帯域の組み合わせパターンは、通信に使用される複数の周波数帯の帯域の合計値が“１６０ＭＨｚ”であり、５ＧＨｚ帯で使用される帯域が“１６０ＭＨｚ”であり、２．４ＧＨｚ帯で使用される帯域が“０ＭＨｚ”であることが表されている。すなわち、この組み合わせパターンでは、２．４ＧＨｚ帯の全ての帯域が他の通信装置に使用されているため、５ＧＨｚ帯の帯域しか利用できないことを表している。
【００２４】
また、図２において、帯域情報データベースの１３段目の行は、通信パターン番号の値が“１３”、合計通信帯域の値が“４０”、５ＧＨｚ帯通信帯域の値が“０”、２．４ＧＨｚ帯通信帯域の値が“４０”である。すなわち、通信パターン番号“１３”で識別される通信に使用される複数の周波数帯の帯域の組み合わせパターンは、通信に使用される複数の周波数帯の帯域の合計値が“４０ＭＨｚ”であり、５ＧＨｚ帯で使用される帯域が“０ＭＨｚ”であり、２．４ＧＨｚ帯で使用される帯域が“４０ＭＨｚ”であることが表されている。すなわち、この組み合わせパターンでは、５ＧＨｚ帯の全ての帯域が他の通信装置に使用されているため、２．４ＧＨｚ帯の帯域しか利用できないことを表している。
【００２５】
図１に戻って、ＡＰ１０ａの説明を続ける。
使用帯域選択部１０５は、判定部１０３の判定結果に基づいて、複数の周波数帯のそれぞれで使用する帯域（以下、「使用帯域」という。）を選択する。例えば、使用帯域選択部１０５は、２．４ＧＨｚ帯で利用可能な帯域と判定された帯域から２．４ＧＨｚ帯で使用する使用帯域を選択する。例えば、隣り合う２つの帯域（チャネル２つ分４０ＭＨｚの帯域）が利用可能な帯域と判定された場合、使用帯域選択部１０５は当該隣り合う２つの帯域を２．４ＧＨｚ帯で使用する使用帯域に選択する。
【００２６】
また、使用帯域選択部１０５は、５ＧＨｚ帯で利用可能な帯域と判定された帯域から５ＧＨｚ帯で使用する使用帯域を選択する。例えば、隣り合う４つの帯域（チャネル４つ分８０ＭＨｚの帯域）が利用可能な帯域と判定された場合、使用帯域選択部１０５は当該隣り合う４つの帯域を５ＧＨｚ帯で使用する使用帯域に選択する。
その後、使用帯域選択部１０５は、帯域情報データベースを参照し、選択した使用帯域の組み合わせに対応する通信パターン番号の値を取得する。使用帯域選択部１０５は、取得した通信パターン番号、５ＧＨｚ帯の使用帯域、２．４ＧＨｚ帯の使用帯域の各値を送信信号生成部１０６に出力する。
【００２７】
送信信号生成部１０６は、使用帯域選択部１０５から出力された各値を用いて送信信号を生成する。具体的には、送信信号生成部１０６は、５ＧＨｚ帯の使用帯域の値と、通信パターン番号の値と、当該使用帯域分の送信データとを用いて５ＧＨｚ帯用信号を生成する。この際、送信信号生成部１０６は、送信データの順番を表すシーケンス番号を５ＧＨｚ帯用信号のヘッダに格納する。また、送信信号生成部１０６は、２．４ＧＨｚ帯の使用帯域の値と、通信パターン番号の値と、当該使用帯域分の送信データとを用いて２．４ＧＨｚ帯用信号を生成する。この際、送信信号生成部１０６は、送信データの順番を表すシーケンス番号を２．４ＧＨｚ帯用信号のヘッダに格納する。その後、送信信号生成部１０６は、生成した２．４ＧＨｚ帯用信号及び５ＧＨｚ帯用信号を通信部１０１に出力する。
【００２８】
送信信号合成部１０７は、通信部１０１によって受信された２．４ＧＨｚ帯用信号と５ＧＨｚ帯用信号とを合成する。具体的には、送信信号合成部１０７は、２．４ＧＨｚ帯用信号と５ＧＨｚ帯用信号とに格納されているシーケンス番号及び送信データを取得する。そして、送信信号合成部１０７は、取得したシーケンス番号に基づいて送信データの整列を行うことによって２．４ＧＨｚ帯用信号の送信データと５ＧＨｚ帯用信号の送信データとを１つ送信データにまとめる。
【００２９】
次に、通信端末２０ａの機能構成を説明する。通信端末２０ａは、バスで接続されたＣＰＵやメモリや補助記憶装置などを備え、無線通信プログラムを実行する。無線通信プログラムの実行によって、通信端末２０ａは、通信部２０１、送信信号合成部２０２、帯域情報記憶部２０３、使用帯域選択部２０４、送信信号生成部２０５を備える装置として機能する。なお、通信端末２０ａの各機能の全て又は一部は、ＡＳＩＣやＰＬＤやＦＰＧＡ等のハードウェアを用いて実現されてもよい。また、無線通信プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、無線通信プログラムは、電気通信回線を介して送受信されてもよい。
【００３０】
通信部２０１は、ＡＰ１０ａとの間で通信を行う。通信部２０１は、例えば同時に複数の周波数帯の帯域を利用してＡＰ１０ａとの間で通信を行う。より具体的には、通信部２０１は、同時に２．４ＧＨｚ帯の帯域と５ＧＨｚ帯の帯域とを利用してＡＰ１０ａとの間で通信を行う。
送信信号合成部２０２は、通信部２０１によって受信された２．４ＧＨｚ帯用信号と５ＧＨｚ帯用信号とを合成する。具体的には、送信信号合成部２０２は、２．４ＧＨｚ帯用信号と５ＧＨｚ帯用信号とに格納されているシーケンス番号及び送信データを取得する。そして、送信信号合成部２０２は、取得したシーケンス番号に基づいて送信データの整列を行うことによって２．４ＧＨｚ帯用信号の送信データと５ＧＨｚ帯用信号の送信データとを１つ送信データにまとめる。
【００３１】
帯域情報記憶部２０３は、磁気ハードディスク装置や半導体記憶装置などの記憶装置を用いて構成される。帯域情報記憶部２０３は、帯域情報データベースを記憶している。なお、帯域情報記憶部２０３が記憶している帯域情報データベースは、帯域情報記憶部１０４に記憶されている帯域情報データベースと同様の構成である。そのため、帯域情報データベースについての説明は省略する。
【００３２】
使用帯域選択部２０４は、通信部２０１によって受信された２．４ＧＨｚ帯用信号と５ＧＨｚ帯用信号とに基づいて自装置（通信端末２０ａ）の使用帯域を選択する。具体的には、使用帯域選択部２０４は、２．４ＧＨｚ帯用信号及び５ＧＨｚ帯用信号から通信パターン番号の値を取得する。使用帯域選択部２０４は、帯域情報記憶部２０３が記憶している帯域情報データベースを参照し、取得した通信パターン番号に対応するレコード３０を選択する。その後、使用帯域選択部２０４は、選択したレコード３０から５ＧＨｚ帯通信帯域の値と２．４ＧＨｚ帯通信帯域の値とを取得する。使用帯域選択部２０４は、取得した各値を自装置の使用帯域に選択する。
送信信号生成部２０５は、選択された使用帯域に基づいて２．４ＧＨｚ帯用信号及び５ＧＨｚ帯用信号を生成する。この際、送信信号生成部２０５は、送信データの順番を表すシーケンス番号を２．４ＧＨｚ帯用信号及び５ＧＨｚ帯用信号のヘッダにそれぞれ格納する。
【００３３】
図３は、本発明における送信信号（２．４ＧＨｚ帯用信号及び５ＧＨｚ帯用信号）の具体例を示す図である。
図３（Ａ）は、送信信号の構成図である。図３（Ａ）に示される送信信号は、プリアンブル、シーケンス番号、検出結果指示情報、宛先端末識別子、送信元端末識別子、データの各値を格納するフィールドを有する。プリアンブルのフィールドには、同期をとるタイミングを与えるための信号に関する情報が格納される。シーケンス番号（送信番号）のフィールドには、送信データの順番を表す情報が格納される。検出結果指示情報のフィールドには、ＡＰ１０ａと通信端末２０ａとの間で行われる通信（以下、「ＡＰ−端末間通信」いう。）において使用される通信パターン番号と、使用帯域の情報とが格納される。例えば、送信信号が５ＧＨｚ帯用信号である場合、検出結果指示情報のフィールドには通信パターン番号と、５ＧＨｚ帯で使用される使用帯域に関する情報（どの帯域幅を利用するのかを示す情報）とが格納される。また、送信信号が２．４ＧＨｚ帯用信号である場合、検出結果指示情報のフィールドには通信パターン番号と、２．４ＧＨｚ帯で使用される使用帯域に関する情報とが格納される。
【００３４】
宛先端末識別子のフィールドには、送信データの宛先である通信装置（例えば、通信端末２０ａ）のＭＡＣアドレスが格納される。送信元端末識別子のフィールドには、送信データの送信元である通信装置（例えば、ＡＰ１０ａ）のＭＡＣアドレスが格納される。データのフィールドには、送信される送信データが格納される。
【００３５】
図３（Ｂ）は、送信信号に格納される送信データの具体的な構成を示す図である。図３（Ｂ）に示される送信データには、項目“データＡ”、“データＢ”、“データＣ”ごとに複数のデータ（例えば、データＡの場合には、Ａ１〜Ａ２０）が存在する。“データＡ”は、１回目の通信で送信されるデータであり、“データＢ”は、２回目の通信で送信されるデータであり、“データＣ”は、３回目の通信で送信されるデータである。
【００３６】
以下、図３を用いて送信信号の送受信方法について具体的に説明する。なお、この説明のＡＰ−端末間通信で使用される帯域を以下のように定義する。２．４ＧＨｚ帯の使用帯域は“４０ＭＨｚ”、５ＧＨｚ帯の使用帯域は“１６０ＭＨｚ”である。すなわち、帯域情報データベースの通信パターン番号“１”の場合について説明する。また、図３（Ｂ）の各データ（例えば、Ａ１など）のデータサイズは、１つあたり“１０”Ｍｂｐｓである。
【００３７】
ＡＰ１０ａの送信信号生成部１０６は、２．４ＧＨｚ帯用信号と５ＧＨｚ帯用信号とを生成する。具体的には、送信信号生成部１０６は、ヘッダのシーケンス番号のフィールドに“Ａ１６”、検出結果指示情報のフィールドに通信パターン番号“１”と５ＧＨｚの使用帯域“１６０ＭＨｚ”の情報とを格納し、データのフィールドに当該使用帯域分のデータ“Ａ１〜Ａ１６”を格納することによって５ＧＨｚ帯用信号を生成する。
【００３８】
また、送信信号生成部１０６は、ヘッダのシーケンス番号のフィールドに“Ａ２０”、検出結果指示情報のフィールドに通信パターン番号“１”と２．４ＧＨｚの使用帯域“４０ＭＨｚ”の情報とを格納し、データのフィールドに当該使用帯域分のデータ“Ａ１７〜Ａ２０”を格納することによって２．４ＧＨｚ帯用信号を生成する。そして、ＡＰ１０ａの通信部１０１は、同時に複数の周波数帯を利用して生成された送信信号を通信端末２０ａに送信する。
【００３９】
通信端末２０ａの通信部２０１は、ＡＰ１０ａから送信された送信信号を周波数帯ごとに受信する。その後、送信信号合成部２０２は、受信された信号を合成する。具体的には、送信信号合成部２０２は、受信された送信信号それぞれに格納されているシーケンス番号に基づいて送信データの整列を行うことによって送信データを合成する。
以上で、送信信号の送受信方法についての説明を終了する。
【００４０】
図４及び図５は、本発明の第１実施形態における使用帯域選択処理の流れを示すフローチャートである。チャネルスキャン部１０２は、定期的にチャネルスキャンを行うことによって、全てのチャネルに対してキャリアセンスを行う（ステップＳ１０１）。判定部１０３は、キャリアセンスの結果に基づいて２．４ＧＨｚ帯の帯域が使用されているか否かを判定する（ステップＳ１０２）。２．４ＧＨｚ帯の帯域が使用されていない場合（ステップＳ１０２−ＮＯ）、使用帯域選択部１０５は４０ＭＨｚ（チャネル２つ分）の帯域を２．４ＧＨｚ帯の使用帯域に選択する（ステップＳ１０３）。この際選択される帯域は、隣り合う２つ分の帯域であれば、どの帯域が選択されてもよい。その後、ステップＳ１０７の処理に進む。
【００４１】
一方、２．４ＧＨｚ帯の帯域が使用されている場合（ステップＳ１０２−ＹＥＳ）、判定部１０３は４０ＭＨｚの帯域を利用できるか否かを判定する（ステップＳ１０４）。４０ＭＨｚの帯域を利用できる場合（ステップＳ１０４−ＹＥＳ）、使用帯域選択部１０５は４０ＭＨｚの帯域を２．４ＧＨｚ帯の使用帯域に選択する（ステップＳ１０３）。この際選択される帯域は、隣り合う２つ分の帯域であり、かつ、ＲＳＳＩの値が閾値未満である帯域であれば、どの帯域が選択されてもよい。その後、ステップＳ１０７の処理に進む。
【００４２】
一方、４０ＭＨｚの帯域を利用できない場合（ステップＳ１０４−ＮＯ）、判定部１０３は２０ＭＨｚの帯域を利用できるか否かを判定する（ステップＳ１０５）。２０ＭＨｚの帯域を利用できる場合（ステップＳ１０５−ＹＥＳ）、使用帯域選択部１０５は２０ＭＨｚの帯域を２．４ＧＨｚ帯の使用帯域に選択する（ステップＳ１０６）。この際選択される帯域は、ＲＳＳＩの値が閾値未満である帯域であれば、どの帯域が選択されてもよい。その後、ステップＳ１０７の処理に進む。一方、２０ＭＨｚの帯域を利用できない場合（ステップＳ１０５−ＮＯ）、判定部１０３は５ＧＨｚ帯の１６０ＭＨｚ（チャネル８つ分）の帯域を利用できるか否かを判定する（ステップＳ１０７）。
【００４３】
１６０ＭＨｚの帯域を利用できる場合（ステップＳ１０７−ＹＥＳ）、使用帯域選択部１０５は１６０ＭＨｚの帯域を５ＧＨｚ帯の使用帯域に選択する（ステップＳ１０８）。その後、処理を終了する。一方、１６０ＭＨｚの帯域を利用できない場合（ステップＳ１０７−ＮＯ）、判定部１０３は８０ＭＨｚ（チャネル４つ分）の帯域を利用できるか否かを判定する（ステップＳ１０９）。
【００４４】
８０ＭＨｚの帯域を利用できる場合（ステップＳ１０９−ＹＥＳ）、使用帯域選択部１０５は８０ＭＨｚの帯域を５ＧＨｚ帯の使用帯域に選択する（ステップＳ１１０）。その後、処理を終了する。一方、８０ＭＨｚの帯域を利用できない場合（ステップＳ１０９−ＮＯ）、判定部１０３は４０ＭＨｚの帯域を利用できるか否かを判定する（ステップＳ１１１）。
【００４５】
４０ＭＨｚの帯域を利用できる場合（ステップＳ１１１−ＹＥＳ）、使用帯域選択部１０５は４０ＭＨｚの帯域を５ＧＨｚ帯の使用帯域に選択する（ステップＳ１１２）。その後、処理を終了する。一方、４０ＭＨｚの帯域を利用できない場合（ステップＳ１１１−ＮＯ）、判定部１０３は２０ＭＨｚの帯域を利用できるか否かを判定する（ステップＳ１１３）。
【００４６】
２０ＭＨｚの帯域を利用できる場合（ステップＳ１１３−ＹＥＳ）、使用帯域選択部１０５は２０ＭＨｚの帯域を５ＧＨｚ帯の使用帯域に選択する（ステップＳ１１４）。その後、処理を終了する。一方、２０ＭＨｚの帯域を利用できない場合（ステップＳ１１３−ＮＯ）、処理を終了する。
【００４７】
図６は、本発明の第１実施形態における無線通信ステムの処理の流れを示すフローチャートである。
チャネルスキャン部１０２は、定期的にチャネルスキャンを行うことによって、全てのチャネルに対してキャリアセンスを行う（ステップＳ２０１）。使用帯域選択部１０５は、キャリアセンスの結果に基づいて周波数帯ごとに使用帯域を選択する（ステップＳ２０２）。具体的には、使用帯域選択部１０５は、２．４ＧＨｚ帯で使用可能な帯域及び５ＧＨｚ帯で使用可能な帯域を選択する。
【００４８】
送信信号生成部１０６は、選択された使用帯域に基づいて送信信号を生成する（ステップＳ２０３）。具体的には、送信信号生成部１０６は、シーケンス番号と２．４ＧＨｚ帯の使用帯域の情報とをヘッダに格納し、当該使用帯域分の送信データをボディに格納することによって２．４ＧＨｚ帯用信号を生成する。また、シーケンス番号と５ＧＨｚ帯の使用帯域の情報とをヘッダに格納し、当該使用帯域分の送信データをボディに格納することによって５ＧＨｚ帯用信号を生成する。
【００４９】
通信部１０１は、同時に複数の周波数帯を利用して、生成された送信信号（２．４ＧＨｚ帯用信号及び５ＧＨｚ帯用信号）を通信端末２０ａに送信する（ステップＳ２０４）。通信部１０１は、通信端末２０ａから送信信号を受信する（ステップＳ２０５）。具体的には、通信部１０１は、複数の周波数帯から複数の送信信号を受信する。送信信号合成部１０７は、受信された複数の送信信号に格納されているシーケンス番号に基づいて送信データを整列することによって送信信号を合成する（ステップＳ２０６）。その後、処理を終了する。
【００５０】
図７は、本発明の第１実施形態における無線通信システムの動作を示すシーケンス図である。
ＡＰ１０ａのチャネルスキャン部１０２は、キャリアセンスを行う（ステップＳ３０１）。チャネルスキャン部１０２は、キャリアセンスの結果、周囲に通信を行っている他のＡＰがないため、ビーコンやパケットを受信しない（ステップＳ３０２）。また、チャネルスキャン部１０２は、キャリアセンスの結果、周囲に通信を行っている通信端末２０ａがないため、ビーコンやパケットを受信しない（ステップＳ３０３）。
【００５１】
使用帯域選択部１０５は、周波数帯ごとに使用帯域を選択する（ステップＳ３０４）。例えば、使用帯域選択部１０５は、２．４ＧＨｚ帯で通信を行っている他の通信装置が存在しないため、４０ＭＨｚの帯域を２．４ＧＨｚ帯で使用する使用帯域に選択する。また、使用帯域選択部１０５は、５ＧＨｚ帯で通信を行っている他の通信装置が存在しないため、１６０ＭＨｚの帯域を５ＧＨｚ帯で使用する使用帯域に選択する。
【００５２】
その後、使用帯域選択部１０５は、帯域情報記憶部１０４に記憶されている帯域情報データベースを読み出す。使用帯域選択部１０５は、読み出した帯域情報データベースの５ＧＨｚ帯通信帯域の項目及び２．４ＧＨｚ帯通信帯域の項目を参照し、それぞれ選択した５ＧＨｚ帯で使用する使用帯域及び２．４ＧＨｚ帯で使用する使用帯域の組み合わせに対応するレコード３０を選択する。使用帯域選択部１０５は、選択したレコード３０から通信パターン番号の値を取得する。使用帯域選択部１０５は、取得した通信パターン番号を通信部１０１に出力する。通信部１０１は、通信パターン番号の値を通信端末２０ａに送信することにより、当該通信パターン番号に対応する通信帯域を利用して通信を行うように指示する（ステップＳ３０５）。
【００５３】
通信端末２０ａの通信部２０１は、ＡＰ１０ａから通信パターン番号の値を受信する。使用帯域選択部２０４は、帯域情報データベースの通信パターン番号の項目を参照し、受信された通信パターン番号に対応するレコード３０を選択する。使用帯域選択部２０４は、選択したレコード３０から５ＧＨｚ帯通信帯域及び２．４ＧＨｚ帯通信帯域の各値を取得する。使用帯域選択部２０４は、取得した各値を自装置（通信端末２０ａ）が利用する使用帯域に選択する。その後、通信部２０１は、選択された使用帯域を利用してＡＰ１０ａとの間で通信を行う（ステップＳ３０６）。
【００５４】
一定時間経過すると、ＡＰ１０ａのチャネルスキャン部１０２は、キャリアセンスを行う（ステップＳ３０７）。チャネルスキャン部１０２は、キャリアセンスの結果、周囲に通信を行っている他のＡＰが存在するため、ビーコンやパケットを受信する（ステップＳ３０８）。この際、チャネルスキャン部１０２は、受信したビーコンやパケットのＲＳＳＩを取得する。また、チャネルスキャン部１０２は、キャリアセンスの結果、周囲に通信を行っている通信端末２０ａが存在するため、ビーコンやパケットを受信する（ステップＳ３０９）。この際、チャネルスキャン部１０２は、受信したビーコンやパケットのＲＳＳＩを取得する。
【００５５】
使用帯域選択部１０５は、周波数帯ごとに使用帯域を選択する（ステップＳ３１０）。例えば、使用帯域選択部１０５は、２．４ＧＨｚ帯で通信を行っている他の通信装置が存在するため、ＲＳＳＩの値が閾値未満である帯域、又は、使用されていない帯域を２．４ＧＨｚ帯で使用する使用帯域に選択する。また、使用帯域選択部１０５は、５ＧＨｚ帯で通信を行っている他の通信装置が存在するため、ＲＳＳＩの値が閾値未満である帯域、又は、使用されていない帯域を５ＧＨｚ帯で使用する使用帯域に選択する。
【００５６】
その後、使用帯域選択部１０５は、帯域情報記憶部１０４に記憶されている帯域情報データベースを読み出す。使用帯域選択部１０５は、読み出した帯域情報データベースを参照し、５ＧＨｚ帯通信帯域の項目及び２．４ＧＨｚ帯通信帯域の項目から、それぞれ選択した５ＧＨｚ帯で使用する使用帯域及び２．４ＧＨｚ帯で使用する使用帯域の組み合わせに対応するレコード３０を選択する。使用帯域選択部１０５は、選択したレコード３０から通信パターン番号の値を取得する。使用帯域選択部１０５は、取得した通信パターン番号を通信部１０１に出力する。通信部１０１は、通信パターン番号の値を通信端末２０ａに送信することにより、当該通信パターン番号に対応する通信帯域を利用して通信を行うように指示する（ステップＳ３１１）。
【００５７】
通信端末２０ａの通信部２０１は、ＡＰ１０ａから通信パターン番号の値を受信する。使用帯域選択部２０４は、帯域情報データベースの通信パターン番号の項目を参照し、受信された通信パターン番号に対応するレコード３０を選択する。使用帯域選択部２０４は、選択したレコード３０から５ＧＨｚ帯通信帯域及び２．４ＧＨｚ帯通信帯域の各値を取得する。使用帯域選択部２０４は、取得した各値を自装置（通信端末２０ａ）が利用する使用帯域に選択する。その後、通信部２０１は、選択された使用帯域を利用してＡＰ１０ａとの間で通信を行う（ステップＳ３１２）。
【００５８】
以上のように構成された無線通信システムによれば、同時に複数の周波数帯を利用して通信が行われる。具体的には、ＡＰ１０ａは、複数の周波数帯のそれぞれの帯域の使用状況に応じてＡＰ−端末間通信の使用帯域を選択する。次に、ＡＰ１０ａは、選択された帯域分のデータを格納した送信信号を生成し、同時に複数の周波数帯を利用して送信信号を通信端末２０ａに送信する。したがって、ＡＰ１０ａは、自装置の周囲に帯域を利用している他の通信装置が少ない、又は、自装置の通信に影響を与えるおそれが低い場合には、チャネルボンディングにより広帯域を有効に利用することができる。さらに、同時に複数の周波数帯を利用することにより、１つの周波数帯を利用するよりも高速な通信が可能になる。そのため、無線通信における通信効率を向上させることが可能になる。
【００５９】
また、通信端末２０ａは、複数の周波数帯から受信した送信信号をシーケンス番号に基づいて整列することによって送信信号を合成する。これにより、複数の周波数帯から受信された送信信号を復元することができる。さらに、複数の周波数帯が利用されることにより、１回の通信で多くのデータを送信することが可能になる。そのため、無線通信における通信効率を向上させることが可能になる。
また、５ＧＨｚ帯の帯域は、２．４ＧＨｚ帯の帯域に対して伝搬損失が大きくなってしまうため、遠方での通信においては通信品質が低下してしまう。しかし、２．４ＧＨｚ帯の帯域も利用して通信を行うため、５ＧＨｚ帯の帯域のみで通信を行うよりも遠方での通信における通信品質の低下を抑止することが可能になる。
【００６０】
＜変形例＞
シーケンス番号及び検出結果指示情報の各値は、送信信号のデータ部分に格納されてもよい。また、シーケンス番号のみがデータ部分に格納されてもよい。この場合、シーケンス番号は、送信される送信データに対応付けて格納される。また、検出結果指示情報のみがデータ部分に格納されてもよい。
本実施例では、２．４ＧＨｚ帯用信号及び５ＧＨｚ帯用信号に格納する送信データを、ＡＰ−端末間通信で使用される帯域分格納する構成を示したが、必ずしもＡＰ−端末間通信で使用される帯域分の送信データを格納しなくてもよい。
【００６１】
［第２実施形態］
図８は、本発明の第２実施形態における無線通信システムのシステム構成を示すブロック図である。本発明の無線通信システムは、ＡＰ１０ｂ及び通信端末２０ｂを備える。なお、図８では、無線通信システムが１台のＡＰ１０ｂを備える構成を示しているが、無線通信システムは２台以上のＡＰ１０ｂを備えるように構成されてもよい。また、図８では、無線通信システムが１台の通信端末２０ｂを備える構成を示しているが、無線通信システムは２台以上の通信端末２０ｂを備えるように構成されてもよい。
【００６２】
以下、ＡＰ１０ｂ及び通信端末２０ｂの具体的な構成について説明する。まず、ＡＰ１０ｂの機能構成を説明する。ＡＰ１０ｂは、バスで接続されたＣＰＵやメモリや補助記憶装置などを備え、無線通信プログラムを実行する。無線通信プログラムの実行によって、ＡＰ１０ｂは、通信部１０１、帯域情報記憶部１０４、送信信号生成部１０６、送信信号合成部１０７を備える装置として機能する。なお、ＡＰ１０ｂの各機能の全て又は一部は、ＡＳＩＣやＰＬＤやＦＰＧＡ等のハードウェアを用いて実現されてもよい。また、無線通信プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、無線通信プログラムは、電気通信回線を介して送受信されてもよい。
【００６３】
ＡＰ１０ｂは、チャネルスキャン部１０２、判定部１０３を備えない点でＡＰ１０ａと構成が異なる。ＡＰ１０ｂは、他の構成についてはそれぞれＡＰ１０ａと同様である。そのため、ＡＰ１０ｂの説明は省略する。
【００６４】
次に、通信端末２０ｂの機能構成を説明する。通信端末２０ｂは、バスで接続されたＣＰＵやメモリや補助記憶装置などを備え、無線通信プログラムを実行する。無線通信プログラムの実行によって、通信端末２０ｂは、通信部２０１、送信信号合成部２０２、帯域情報記憶部２０３、使用帯域選択部２０４、送信信号生成部２０５、チャネルスキャン部２０６、判定部２０７を備える装置として機能する。なお、通信端末２０ｂの各機能の全て又は一部は、ＡＳＩＣやＰＬＤやＦＰＧＡ等のハードウェアを用いて実現されてもよい。また、無線通信プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、無線通信プログラムは、電気通信回線を介して送受信されてもよい。
【００６５】
通信端末２０ｂは、チャネルスキャン部２０６、判定部２０７を備える点で通信端末２０ａと構成が異なる。通信端末２０ｂは、他の構成についてはそれぞれ通信端末２０ａと同様である。そのため、通信端末２０ｂ全体の説明は省略し、チャネルスキャン部２０６、判定部２０７について説明する。
【００６６】
チャネルスキャン部２０６は、定期的に全てのチャネルに対し、他の通信装置（例えば、ＡＰ又は通信端末２０ｂ）が通信を行っているか否かを検知するキャリアセンスを行う。例えば、他の通信装置が通信を行っている場合には、チャネルスキャン部２０６はビーコンやパケットを受信することにより他の通信装置を検知する。また、チャネルスキャン部２０６は、ビーコンやパケットが受信されると、受信されたビーコンやパケットのＲＳＳＩを取得する。
【００６７】
判定部２０７は、取得されたＲＳＳＩの値に基づいて、利用可能な帯域が存在するか否かを判定する。具体的には、ＲＳＳＩの値が閾値以上である場合、判定部２０７はＲＳＳＩの値が閾値以上である帯域が利用可能な帯域ではないと判定する。一方、ＲＳＳＩの値が閾値未満である場合、判定部２０７はＲＳＳＩの値が閾値未満である帯域が利用可能な帯域であると判定する。この場合、使用帯域選択部２０４は、判定部２０７の判定結果に基づいて使用帯域を選択する。例えば、使用帯域選択部２０４は、２．４ＧＨｚ帯で利用可能な帯域と判定された帯域から使用帯域を選択する。また、使用帯域選択部２０４は、５ＧＨｚ帯で利用可能な帯域と判定された帯域から使用帯域を選択する。
【００６８】
図９は、本発明の第２実施形態における無線通信システムの動作を示すシーケンス図である。
通信端末２０ｂのチャネルスキャン部２０６は、キャリアセンスを行う（ステップＳ４０１）。チャネルスキャン部２０６は、キャリアセンスの結果、周囲に通信を行っている他の通信端末が存在しないため、ビーコンやパケットを受信しない（ステップＳ４０２）。また、チャネルスキャン部２０６は、キャリアセンスの結果、周囲に通信を行っているＡＰがないため、ビーコンやパケットを受信しない（ステップＳ４０３）。
【００６９】
使用帯域選択部２０４は、周波数帯ごとに使用帯域を選択する（ステップＳ４０４）。具体的には、使用帯域選択部２０４は、２．４ＧＨｚ帯で通信を行っている他の通信装置が存在しないため、４０ＭＨｚの帯域を２．４ＧＨｚ帯での使用帯域に選択する。また、使用帯域選択部２０４は、５ＧＨｚ帯で通信を行っている他の通信装置が存在しないため、１６０ＭＨｚの帯域を５ＧＨｚ帯での使用帯域に選択する。
【００７０】
その後、使用帯域選択部２０４は、帯域情報記憶部２０３に記憶されている帯域情報データベースを読み出す。使用帯域選択部２０４は、読み出した帯域情報データベースを参照し、５ＧＨｚ帯通信帯域の項目及び２．４ＧＨｚ帯通信帯域の項目から、それぞれ選択した５ＧＨｚ帯で使用する使用帯域及び２．４ＧＨｚ帯で使用する使用帯域の組み合わせに対応するレコード３０を選択する。使用帯域選択部２０４は、選択したレコード３０から通信パターン番号の値を取得する。使用帯域選択部２０４は、取得した通信パターン番号を通信部２０１に出力する。通信部２０１は、通信パターン番号の値をＡＰ１０ｂに送信することにより、当該通信パターン番号に対応する通信帯域を利用して通信を行うように指示する（ステップＳ４０５）。
【００７１】
ＡＰ１０ｂの通信部１０１は、通信端末２０ｂから通信パターン番号の値を受信する。使用帯域選択部１０５は、帯域情報データベースの通信パターン番号の項目を参照し、受信された通信パターン番号に対応するレコード３０を選択する。使用帯域選択部１０５は、選択したレコード３０から５ＧＨｚ帯通信帯域及び２．４ＧＨｚ帯通信帯域の各値を取得する。使用帯域選択部１０５は、取得した各値を自装置（通信端末２０ｂ）が利用する使用帯域に選択する。その後、通信部１０１は、選択された使用帯域を利用して通信端末２０ｂとの間で通信を行う（ステップＳ４０６）。
【００７２】
一定時間経過すると、通信端末２０ｂのチャネルスキャン部２０６は、キャリアセンスを行う（ステップＳ４０７）。チャネルスキャン部２０６は、キャリアセンスの結果、周囲に通信を行っている他のＡＰが存在するため、ビーコンやパケットを受信する（ステップＳ４０８）。この際、チャネルスキャン部２０６は、受信したビーコンやパケットのＲＳＳＩを取得する。また、チャネルスキャン部２０６は、キャリアセンスの結果、周囲に通信を行っているＡＰ１０ｂが存在するため、ビーコンやパケットを受信する（ステップＳ４０９）。この際、チャネルスキャン部２０６は、受信したビーコンやパケットのＲＳＳＩを取得する。
【００７３】
使用帯域選択部２０４は、周波数帯ごとに使用帯域を選択する（ステップＳ４１０）。具体的には、使用帯域選択部２０４は、２．４ＧＨｚ帯で通信を行っている他の通信装置が存在するため、ＲＳＳＩの値が閾値未満である帯域、又は、使用されていない帯域を２．４ＧＨｚ帯で使用する使用帯域に選択する。また、使用帯域選択部１０５は、５ＧＨｚ帯で通信を行っている他の通信装置が存在するため、ＲＳＳＩの値が閾値未満である帯域、又は、使用されていない帯域を５ＧＨｚ帯で使用する使用帯域に選択する。
【００７４】
その後、使用帯域選択部２０４は、帯域情報記憶部２０３に記憶されている帯域情報データベースを読み出す。使用帯域選択部２０４は、読み出した帯域情報データベースを参照し、５ＧＨｚ帯通信帯域の項目及び２．４ＧＨｚ帯通信帯域の項目から、それぞれ選択した５ＧＨｚ帯で使用する使用帯域及び２．４ＧＨｚ帯で使用する使用帯域の組み合わせに対応するレコード３０を選択する。使用帯域選択部２０４は、選択したレコード３０から通信パターン番号の値を取得する。使用帯域選択部２０４は、取得した通信パターン番号を通信部２０１に出力する。通信部２０１は、通信パターン番号の値をＡＰ１０ｂに送信することにより、当該通信パターン番号に対応する通信帯域を利用して通信を行うように指示する（ステップＳ４１１）。
【００７５】
ＡＰ１０ｂの通信部１０１は、通信端末２０ｂから通信パターン番号の値を受信する。使用帯域選択部１０５は、帯域情報データベースの通信パターン番号の項目を参照し、受信された通信パターン番号に対応するレコード３０を選択する。使用帯域選択部１０５は、選択したレコード３０から５ＧＨｚ帯通信帯域及び２．４ＧＨｚ帯通信帯域の各値を取得する。使用帯域選択部１０５は、取得した各値を自装置（通信端末２０ｂ）が利用する使用帯域に選択する。その後、通信部１０１は、選択された使用帯域を利用して通信端末２０ｂとの間で通信を行う（ステップＳ４１２）。
【００７６】
＜変形例＞
第二実施形態は、第一実施形態と同様に変形されてもよい。
【００７７】
以上、この発明の実施形態について図面を参照して詳述してきたが、具体的な構成はこの実施形態に限られるものではなく、この発明の要旨を逸脱しない範囲の設計等も含まれる。
【符号の説明】
【００７８】
１０（１０ａ、１０ｂ）…ＡＰ（通信装置），  ２０（２０ａ、２０ｂ）…通信端末（通信装置），  １０１…通信部，  １０２…チャネルスキャン部，  １０３…判定部，  １０４…帯域情報記憶部，  １０５…使用帯域選択部，  １０６…送信信号生成部，  １０７…送信信号合成部，  ２０１…通信部，  ２０２…送信信号合成部，  ２０３…帯域情報記憶部，  ２０４…使用帯域選択部，  ２０５…送信信号生成部，  ２０６…チャネルスキャン部，  ２０７…判定部
【図１】
2014241480.tif 000003
【図２】
2014241480.tif 000004
【図３】
2014241480.tif 000005
【図４】
2014241480.tif 000006
【図５】
2014241480.tif 000007
【図６】
2014241480.tif 000008
【図７】
2014241480.tif 000009
【図８】
2014241480.tif 000010
【図９】
2014241480.tif 000011